(57)【要約】【課題】既存の棚受け金具と棚板を利用することで設備費を大幅に節減し、産業廃棄物を節減し、しかも操作が簡単で確実なロック機構により棚板が滑り出すこともなく、地震などにも安全な商品陳列用スライド棚を提供する。【解決手段】陳列台本体の縦支柱２に設けた左、右一対の棚受け金具４に支持させる棚支持体１１は、棚受け金具４に係着する棚支持フレーム１２と、前後方向に進退可能な可動フレーム１４とから構成し、可動フレーム１４に棚板１６が嵌着してある。棚支持体１１に設けた多段ロック機構２１は、棚支持フレーム１２間に架設した支持材２２、２３と、複数の係止溝を有し、支持材２２、２３間に架設したロック形成材と、可動フレーム１４間に架設した可撓支持材２５と、前端側が押動部２６Ａになり、可撓支持材２５に設けられて後端側の係合部２６Ｂがロック形成材の係止溝に選択的に係合するロック作動材２６とからなる。【選択図】  図４
0003155962.tif 000002
【実用新案登録請求の範囲】
【請求項１】
陳列台本体の縦支柱に突設した左、右一対の棚受け金具の各々に支持される棚支持体は、該棚受け金具に係着する棚支持フレームと、該棚支持フレームに支持され、前後方向に進退可能な可動フレームとから構成し、該一対の可動フレームに棚板を係着してなる商品陳列用スライド棚。
【請求項２】
陳列台本体の縦支柱に突設した左、右一対の棚受け金具の各々に支持される棚支持体は、該棚受け金具に係着する棚支持フレームと、該棚支持フレームに支持され、前後方向に進退可能な可動フレームとから構成し、前記棚支持体に、前記一対の棚支持フレーム間に前後に離間して架設した一対の支持材と、前後方向に離間して複数の係止溝を有し、該一対の支持材間に架設した溝形成材と、前記一対の可動フレーム間に架設した可撓支持材と、押動部となる前端側を前方に突出した状態で該可撓支持材に設けられ、後端側の係合部が前記溝形成材の複数の係止溝に選択的に係合するロック作動材とから構成してなる多段ロック機構を設け、前記一対の可動フレームに棚板を係着してなる商品陳列用スライド棚。
【請求項３】
前記可動フレームには、前記棚板に設けてある係止爪に対応して係脱する複数の係止用切欠きを形成してあることを特徴とする請求項１又は２記載の商品陳列用スライド棚。
【考案の詳細な説明】
【技術分野】
【０００１】
本考案は、コンビニエンスストア、スーパーマーケット等の小売店で用いる商品陳列台を構成する商品陳列用スライド棚に関する。
【背景技術】
【０００２】
商品陳列台は、台部と、該台部に立設した一対の縦支柱と、該各縦支柱に係脱可能に設けられ、高さ方向の調整が可能な棚受け金具と、該棚受け金具に載置した棚板とから大略構成し、複数段に配置した棚板に商品を陳列するものである。商品陳列台は、売り場のスペースを有効活用できることから小売店、その他の店舗で一般に使用されているが、従来の棚板は棚受け金具に固定して設けた構成からなっている。
【０００３】
このため、最上段の棚板以外の棚板に商品を陳列する場合、上の棚板が障害になって棚板の奥に商品を陳列する作業が面倒で効率が悪いという欠点や、商品を見易い状態に陳列することが出来ないという欠点があった。また、棚板をスライド式に変更する場合、既存の棚板や棚受け金具は廃棄処分しなければならず無駄な経費が嵩むという問題もある。
【０００４】
他方、前後にスライド可能な棚を設けた商品陳列台も一部で使用されるようになった。例えば、特許文献１に示すオープンショーケースの棚装置では、スライドレール２０によって棚板１０が前後にスライドするが、ボールベアリング２１、２２を抱持する一方の抱持板２３は棚受１１に、他方の抱持板２４は棚板１０に設けてあり、棚受１１と棚板１０は一体化した構成からなっている。このため、既設の商品陳列台の棚板をスライド式に再利用することは困難であることから、既存の棚受け金具も棚板も廃棄処分することになる、そのための費用が掛かるという問題がある。しかも、棚板も陳列台メーカーによって固定用係止爪の位置等の規格が異なり、互換性が無いという問題がある。
【先行技術文献】
【特許文献】
【０００５】
【特許文献１】特開平５−５６８３３号公報
【考案の概要】
【考案が解決しようとする課題】
【０００６】
本考案は上述した従来技術の諸欠点に鑑みなされたもので、既存の棚受け金具と棚板をそのまま利用してリサイクルできることから設備費を大幅に節減できるし、産業廃棄物の節減になり、また操作が簡単であるが確実なロック機構を設けたので不用意に棚板が滑り出すこともないし、地震などの災害時にも安全な商品陳列用スライド棚を提供することを目的とする。
【課題を解決するための手段】
【０００７】
上述した課題を解決するために構成された請求項１に係る本考案の手段は、陳列台本体の縦支柱に突設した左、右一対の棚受け金具の各々に支持される棚支持体は、該棚受け金具に係着する棚支持フレームと、該棚支持フレームに支持され、前後方向に進退可能な可動フレームとから構成し、該一対の可動フレームに棚板を係着したものからなる。
【０００８】
また、請求項２に係る本考案を構成する手段は、陳列台本体の縦支柱に突設した左、右一対の棚受け金具の各々に支持される棚支持体は、該棚受け金具に係着する棚支持フレームと、該棚支持フレームに支持され、前後方向に進退可能な可動フレームとから構成し、前記棚支持体に、前記一対の棚支持フレーム間に前後に離間して架設した一対の支持材と、前後方向に離間して複数の係止溝を有し、該一対の支持材間に架設したロック形成材と、前記一対の可動フレーム間に架設した可撓支持材と、押動部となる前端側を前方に突出した状態で該可撓支持材に設けられ、後端側の係合部が前記ロック形成材の複数の係止溝に選択的に係合するロック作動材とから構成してなる多段ロック機構を設け、前記一対の可動フレームに棚板を係着したものからなる。
【０００９】
そして、前記可動フレームには、前記棚板に設けてある係止爪に対応して係脱する複数の係止用切欠きを形成するとよい。
【考案の効果】
【００１０】
本考案は上述の如く構成したから、下記の諸効果を奏する。
（１）既存の商品陳列台の棚受け金具に棚支持体を取着することにより、既存の棚板を前後方向に進退させて使用することができるから、商品の陳列作業を効率良く行うことができるし、需要者に見易い状態に商品を陳列することができる。
（２）既存の棚受け金具と棚板を用いることができるから、棚支持体の費用だけで既存の商品陳列台を有効活用することができ、また従来廃棄処分と新規購入に要した費用を削減することができる。
（３）棚支持体に棚板を多段的に引出してロックするロック機構を設けたから、複数段の棚板を階段状に引出して商品を見易い状態に陳列できるし、棚板が地震などの外力で不用意に滑り出す事態を確実に防止でき、安全性に優れた商品陳列用スライド棚として使用できる。
（４）可動フレームには、棚板に設けてある係止片に対応して係脱する複数の係止用切欠きを形成したから、棚支持体は係止爪の位置が異なる既存の棚板にも対応することができる。
【図面の簡単な説明】
【００１１】
【図１】図１乃至図３は本考案の第１の実施の形態に係り、図１は商品陳列用スライド棚の分解斜視図である。
【図２】棚支持体を縦支柱に取付ける構成の説明図である。
【図３】商品陳列用スライド棚の部分縦断面図である。
【図４】図４乃至図６は第２の実施の形態に係り、図４は商品陳列用スライド棚の分解斜視図である。
【図５】商品陳列用スライド棚の斜視図である。
【図６】商品陳列用スライド棚の使用状態図である。
【考案を実施するための形態】
【００１２】
以下、本考案の実施の形態を図面に基づき詳述する。図１乃至図３は第１の実施の形態に係る商品陳列用スライド棚を示す。図において、１は商品陳列台を構成する陳列台本体を示す。２、２は該陳列台本体１を構成する左、右一対の縦支柱を示し、該各縦支柱２の前面２Ａには複数の係合孔２Ｂが縦方向に多段的に形成してある。そして、一対の縦支柱２、２は背面板３によって所定の間隔で連結してある。４は各縦支柱２から前方向に突設した棚受け金具で、該棚受け金具４は、側面視において略直角三角形状の板からなり、後端には係合孔２Ｂに係脱可能に挿嵌する爪４Ａ、４Ａ、・・が突出形成してある。上述した一対の縦支柱２、２、連結板３及び棚受け金具４から構成し、棚板を高さ方向の位置で選択することができる商品陳列台自体は公知のものである。
【００１３】
１１は前記各棚受け金具４、４に支持された棚支持体を示す。１２は該棚支持体１１を構成する棚支持フレームで、該棚支持フレーム１２は図３に示すように、固定片１２Ａ、支持片１２Ｂ及び連結片１２Ｃを略クランク状に屈曲形成した金属板からなり、固定片１２Ａはボルト・ナット１３によって棚受け金具４に締着してある。
【００１４】
１４は棚支持フレーム１２に前後方向に進退可能に支持された可動フレームを示す。該可動フレーム１４は横長長方形の平板からなり、下半分はスライド機構取付部１４Ａに、上半分は棚板嵌入部１４Ｂになっており、棚板嵌入部１４Ｂの上縁後ろ寄りの位置には各種の棚板の係止爪に対応して係合できる３個の係合用切欠き１４Ｃ、１４Ｃ、１４Ｃが形成してある。１５は前記可動フレーム１４と棚支持フレーム１２との間に連結され、可動フレーム１４を進退可能にするスライド機構を示し、該スライド機構１５は固定レール１５Ａ、可動レール１５Ｂ及びこれらに挟持されるボールベアリング１５Ｃとからなる公知のものである。
【００１５】
１６は上述の構成からなる左、右一対の可動フレーム１４、１４に支持された既存の棚板を示す。該棚板１６は横長長方形の天面部１６Ａと、該天面部１６Ａの４辺を下向に屈曲して形成した前、後側面部１６Ｂ、１６Ｂ及び左、右側面部１６Ｃ、１６Ｃと、天面部１６Ａの下面略中央に長手方向に沿って突設した縦断面略逆冂字状の補強材１６Ｄと、天面部１６Ａの裏面両角隅寄りに突設した係止爪１６Ｅとから構成してある。なお、係止爪１６Ｅは取付位置に若干の相違はあるが、安全性のためにいずれの製造会社の棚板１６にも設けてある。
【００１６】
上述の構成からなる棚板１６は、補強材１６Ｄの端面１６Ｄ１と左、右側板部１６Ｃとの間の隙間に可動フレーム１４の棚板嵌入部１６Ｂを挿入し、係止爪１６Ｅと可動フレーム１４の係合用切欠き１４Ｃを係合させることで、棚板１６は可動フレーム１４に支承された状態で一体に進退可能になっている。
【００１７】
本実施の形態は上述の構成からなり、一対の棚板支持体１１、１１を既設の陳列台本体１の棚受け金具４、４に取着し、棚支持フレーム１２をボルト・ナット１３で締着する。次に、可動フレーム１４、１４に棚板１６を嵌着することで、商品陳列用スライド棚を設置する。これにより、棚板１６は一対の可動フレーム１４、１４に支持された状態で棚板支持体１１、１１を介して棚受け金具４、４に確実に支持された状態になり、かつ可動フレーム１４と共に前後方向に進退することができる。
【００１８】
このように、棚受け金具４、４に棚支持体１１を取着し、可動フレーム１４に棚板１６を嵌着することで、棚板１６は簡単な構成と手順で陳列台本体１に設けることができ、１０ｋｇ程度の比較的軽量な積載重量までは使用することができる。また、棚支持体１１を用いることで既存の棚受け金具４と棚板１６を廃棄することなく活用することができる。しかも、可動フレーム１４の上縁には既存の棚板１６に設けてある係止爪１６Ｅに対応して係合することができる係合用切欠き１４Ｃ、１４Ｃを形成してあるから、既存の棚板１６を再使用することができる。
【００１９】
次に、図４乃至図６は第２の実施の形態を示す。なお、第１の実施の形態の構成要素と同一の構成要素には同一の符号を付して援用し、その説明を省略する。図において、２１は棚支持体１１に設けた多段ロック機構を示す。２２、２３は該多段ロック機構２１を構成する一対の支持材で、該一対の支持材２２、２３は一対の棚支持フレーム１２、１２に前後に離間して架設してある。２４は該一対の支持材２２、２３の長手方向略中間に位置して架設したロック形成材で、該ロック形成材２４は後側の下側縁に前後方向に離間して３個の係止溝２４Ａ、２４Ｂ、２４Ｃが形成してある。
【００２０】
２５は前記一対の可動フレーム１４、１４間に架設した可撓支持材で、該可撓支持材２４は力が加わることにより若干捩れる可撓性を有する素材、例えば薄い金属板や、合成樹脂板で形成してある。２６は前記ロック形成材２４に係脱するロック作動材を示す。該ロック作動材２６は扁平楕円状に屈曲形成した金属棒の後端側を下向きに略Ｕ字状に屈曲した形状からなり、前端側の押動部２６Ａを該可撓支持材２５から前方に突出した状態で可撓支持材２５に固着してあり、略Ｕ字状の後端側は前記ロック形成材２４の複数の係止溝２４Ａ乃至２４Ｃに選択的に係合する係合部２６Ｂになっている。
【００２１】
上述の構成からなる本実施の形態において、棚受け金具４、４の夫々に設けた棚支持体１１に支持された棚板１６が前後方向に進退する作動は第１の実施の形態と同じである。加えて、本実施の形態では多段ロック機構２１を設け、棚板１６の前方への突出量を３段階に選択できるようにし、かつ所定の位置で棚板１６をロックできるようにしてある。
【００２２】
即ち、棚板１６と一体に進退する可動フレーム１４に設けたロック作動材２６は、棚板１６の進出量に応じてロック形成材２４の係止溝２４Ａ〜２４Ｃの何れかに係合することで、棚板１６をロックすることができる。棚板１６を前方に引出す場合は、ロック作動材２６の押動部２６Ａを上方に押し上げると可撓支持材２５が撓んで係合部２６Ｂが下方に変位し、係止溝２４Ａから離脱してロックが解除することで棚板１６は前方に移動できる。そして、ロック作動材２６への押動を開放して係合部２６Ｂを係止溝２４Ｂ（２４Ｃ）に係合させることで、棚板１６は前方に突出した状態にロックすることができる。
【００２３】
このように、棚板１６はロック作動材２６を介してロック形成材２４に係止されることで、図６に示すように、棚板１６、１６、・・を上から下にかけて階段状に突出させた状態に配置することができ、しかも各棚板１６が不用意に滑り出ることや、地震の際に飛び出すといった事態を確実に防止することができ、安全な商品陳列用スライド棚として使用することができる。
【００２４】
なお、実施の形態では棚板１６の突出量を３段階にしたが、本考案において突出量の段数は特に限定されるものではない。
【符号の説明】
【００２５】
１        陳列台本体
２        縦支柱
４        棚受け金具
１１      棚支持体
１２      支持フレーム
１４      可動フレーム
１４Ｃ    係合用切欠き
１６      棚板
１６Ｅ    係止爪
２１      多段ロック機構
２２、２３    支持フレーム
２４      ロック形成材
２４Ａ、２４Ｂ、２４Ｃ  係止溝
２５      可撓支持材
２６      ロック作動材
２６Ａ    押動部
２６Ｂ    係合部
【図１】
0003155962.tif 000003
【図２】
0003155962.tif 000004
【図３】
0003155962.tif 000005
【図４】
0003155962.tif 000006
【図５】
0003155962.tif 000007
【図６】
0003155962.tif 000008